(57)【要約】【課題】  低消費電力で制御手段の共用が可能な機械的振動検知素子を有するカメラ付き携帯型情報装置を提供する。【解決手段】  複数のモードを有するカメラ付き携帯型情報装置であって、前記カメラ付き携帯型情報装置の振動を検知する振動検出手段と、前記カメラ付き携帯型情報装置に設けられるレンズと、前記複数のモードのうち、撮影を行う第１のモードにおいては、前記振動検出手段の検出結果に基づいて被写体の画像が防振されるよう前記レンズを制御し、前記第１のモードとは異なるモードにおいては、前記振動検出手段の検出結果に基づいて動作を切り替える制御部と、を有することを特徴とする。【選択図】図１
2009049856.tif 000002
【特許請求の範囲】
【請求項１】
複数のモードを有するカメラ付き携帯型情報装置であって、
前記カメラ付き携帯型情報装置の振動を検知する振動検出手段と、
前記カメラ付き携帯型情報装置に設けられるレンズと、
前記複数のモードのうち、撮影を行う第１のモードにおいては、前記振動検出手段の検出結果に基づいて被写体の画像が防振されるよう前記レンズを制御し、前記第１のモードとは異なるモードにおいては、前記振動検出手段の検出結果に基づいて動作を切り替える制御部と、を有することを特徴とするカメラ付き携帯型情報装置。
【発明の詳細な説明】
【技術分野】
【０００１】
本発明はカメラ機能、メモリデータ再生機能、通信機能などの複数機能を一体型装置へコンパクトに設置したカメラ付き携帯型情報装置に関する。
【背景技術】
【０００２】
従来の携帯電話装置は、コンパクトに纏める目的が優先され、設置される操作キーの数は非常に少なくなっている。しかし、近年携帯電話機に必要とされる機能が非常に複雑化している事から、キー操作方法が複雑になり、一般ユーザーにとっては使いにくい物となっている。
【０００３】
そこで、先願件特許文献１においては、カメラ部から入力される撮影画像の動きベクトルを検知し、検知結果に基づき文字入力機能を制御する技術を紹介している。（例えば、特許文献１）
【特許文献１】特許３６４９２４２号
【発明の開示】
【発明が解決しようとする課題】
【０００４】
しかしながら特許文献１では、装置の機能制御のＵＩとなる検知装置としてカメラ撮影画像の動きベクトルを検知手段として使用している。つまり、特許文献１の携帯電話装置においては、電子メーラーとして装置を利用する場面においても、つねにＵＩとして使用する回路の並行動作が必要がある。その為、カメラ回路も並行して電力供給させる事が必要となる。また、携帯電話装置は、通話機能、電子メール機能といった音声や文字情報のみを扱う場面において非常に消費電力が低い。しかし、動画像を扱うカメラ機能では扱うデータの規模が莫大である為、消費電力も極めて大きくなる。従って、特許文献１に記載の装置では、カメラ機能以外の機能においてもカメラ画像を検出処理しながら動作する為、その消費電力は極めて大きな値となる。
【０００５】
本発明は、低消費電力で制御手段の共用が可能な機械的振動検知素子を有するカメラ付き携帯型情報装置に関する。
【課題を解決するための手段】
【０００６】
本発明の一側面としてのカメラ付き携帯型情報装置は、複数のモードを有するカメラ付き携帯型情報装置であって、前記カメラ付き携帯型情報装置の振動を検知する振動検出手段と、前記カメラ付き携帯型情報装置に設けられるレンズと、前記複数のモードのうち、撮影を行う第１のモードにおいては、前記振動検出手段の検出結果に基づいて被写体の画像が防振されるよう前記レンズを制御し、前記第１のモードとは異なるモードにおいては、前記振動検出手段の検出結果に基づいて動作を切り替える制御部と、を有することを特徴とする。
【０００７】
本発明の他の目的又はその他の特徴は、以下、添付図面を参照して説明される好ましい実施例によって明らかにされるであろう。
【発明の効果】
【０００８】
本発明によれば、機械的振動検知素子を有するカメラ付き携帯型情報装置は、カメラ撮影モードにおいては振動検知素子の検出結果に従って、カメラ撮影画防振制御する。また、カメラ撮影以外のモードにおいては振動検知素子の検出結果に従って、装置の機能切換え制御する手段を有する。この事により、カメラ以外の機能では一般的に休止状態にあるカメラ回路内の振動検知素子を、カメラ以外の機能においても有効活用する事ができる。更に、カメラ以外の機能において、カメラ回路内の振動検知素子を使用している間はカメラ回路全体までは駆動させず、振動検知素子のみ駆動させる為、低消費電力で制御手段の共用が実現可能になる。
【発明を実施するための最良の形態】
【０００９】
以下、図面を参照しながら本発明の好適な実施の形態を説明する。
【実施例】
【００１０】
以下に本発明の実施例に係るカメラ付き携帯電話器の実施の形態を説明する。
【００１１】
図１は本発明の実施例にカメラ付き携帯電話器の構成を示すブロック図である。図１において０１はレンズジャイロセンサ（振動センサ）。０２はＣＰＵ（制御部）。０５はレンズ防振制御回路（レンズ制御回路）。０７はレンズで集光された画像をＯＥ変換し、画像信号として取込む画像入力回路。０８は取込まれた画像信号をメモリへ記録する為に、画像圧縮等の信号処理を加える記録回路。１２はカメラ付き携帯電話器の動作モードを切換えるモード切換スイッチ。１５はメモリカードに記録された画像データの再生機能を制御する再生制御回路。１６は画像データや文字データを記録するメモリカード。１７はメモリカード内の圧縮動画データや圧縮静止画データを伸張し、モニタ表示可能な形式へ変換する再生回路。１８はメモリカード内の動画データや静止画データを出力表示する液晶モニタ。２５は電子メール送受信機能を制御するメール制御回路。２６はメール制御回路２５の指示の下、テキストデータや画像データ、音声データの送受信を行うデータ送受信回路。３５は受送話機能を制御する電話制御回路。３６は電話制御回路３５の指示の下、リアルタイム音声データの送受信を行う音声送受信回路である。
【００１２】
次に本発明の実施例の動作を図１を使って説明する。
【００１３】
まず、ユーザーはモード切換スイッチ１２で電話器の使用機能を選択する。ＣＰＵ０２はモード切換スイッチ１２の設定状況を常に監視し、設定されたモード下で電話器を制御する。本携帯電話器はカメラモード（第１のモード）、データ再生モード（第２のモード）、データ送受信（メール）モード（第３のモード）、送受話（電話）モード（第４のモード）の合計四つのモードを持つ。これら四つのモードは、モード切換スイッチ１２を使って、それぞれのモード機能へ切り換える。
【００１４】
以下に、それぞれのモード選択後における発明の動作説明を行う。
【００１５】
（第１のモード）振動センサ０１（振動検出手段）で振動が検知されている状態では、入力画像にブレが生じる。従って、ＣＰＵ０２は振動センサ０１の出力データを受け、振動の方向、大きさ、時間等の振動要素に分析する。そして各振動要素情報をレンズ防振制御回路０５へ入力する。レンズ防振制御回路０５は、振動を打ち消し無振動での入力画像と等しくなるよう、０６のレンズを振動要素情報に応じて駆動制御する。防振制御されたレンズを通過した被写体の画像は画像入力回路０７でＯＥ変換され、記録回路０８でメモリへ記録可能なデータ量へ圧縮される。そして、圧縮された画像データはメモリーカード１６へ記録される。
【００１６】
（第２のモード）振動センサ０１で振動が検知されている状態は、ユーザーによるデータ再生の機能選択操作と判断する。従って、ＣＰＵ０２は振動センサ０１の出力データを受け、振動の方向、大きさ、時間等の振動要素に分析し、分析結果をもって機能選択を行う。例えば、左から右へ本体移動が生じた場合に通常再生、右から左へ本体移動が生じた場合に逆再生、左から右へ２回本体移動が生じた場合に２倍速再生の機能へと再生制御回路１５が設定する。再生制御回路１５は選択されているメモリカード１６上の動画、あるいは静止画データをＣＰＵ０２の指示に従い設定された機能（通常再生／逆再生／２倍速再生など）を使って出力する。出力された圧縮画像データは再生回路１７にて伸張された後アナログビデオ信号に変換される。そして、液晶モニタ１８へ入力されユーザーへ向けての表示が行われる。
【００１７】
（第３のモード）振動センサ０１で振動が検知されている状態は、ユーザーによるデータ送受信の機能選択操作と判断する。従って、ＣＰＵ０２は振動センサ０１の出力データを受け、振動の方向、大きさ、時間等の振動要素に分析し、分析結果をもって機能選択を行う。例えば、左から右へ本体移動が生じた場合にメール送信、右から左へ本体移動が生じた場合にメール受信の機能へとメール制御回路２５が設定する。メール制御回路２５はＣＰＵ０２の指示に従い設定された機能（メール送信／メール受信など）をメール送受信回路（データ送受信回路）２６に設定する。メール送受信回路２６は、送信設定時には選択されているメモリカード１６内のデータファイルをメールに添付した上で公衆電話網上へ送信する（ファイル添付指示が無い場合は編集中の文字データのみ送信）。また、メール送受信回路２６は、受信設定時には公衆電話網からメールを受信し、添付されているファイルをメモリカード１６内へデータファイルとして保存する（ファイル添付が無い場合は受信した文字データのみ表示）。
【００１８】
（第４のモード）振動センサ０１で振動が検知されている状態は、ユーザーによる電話の機能選択操作と判断する。従って、ＣＰＵ０２は振動センサ０１の出力データを受け、振動の方向、大きさ、時間等の振動要素に分析し、分析結果をもって機能選択を行う。例えば、左から右へ本体移動が生じた場合に通話発信、右から左へ本体移動が生じた場合に着信受話の機能へと電話制御回路３５が設定する。電話制御回路３５はＣＰＵ０２の指示に従い設定された機能（通話発信／着信受話など）を音声送受信回路３６に設定する。音声送受信回路３６は、通話発信設定時には選択されている電話番号を公衆電話網上へ送信する。また、音声送受信回路３６は、着信受話設定時には公衆電話網から受信している回線との接続を行う。
【図面の簡単な説明】
【００１９】
【図１】本発明の実施例に係るカメラ付き携帯電話器の構成を示すブロック図。
【符号の説明】
【００２０】
０１：レンズジャイロセンサ（振動センサ）
０２：ＣＰＵ
０５：レンズ防振制御回路（レンズ制御回路）
０７：画像入力回路
０８：画像記録回路
１２：動作モード切換スイッチ
１５：再生制御回路
１６：メモリカード
１７：再生回路
１８：液晶モニタ
２５：メール制御回路
２６：データ送受信回路
３５：電話制御回路
３６：音声送受信回路
【図１】
2009049856.tif 000003